(57)【要約】【課題】  スライド扉の開閉の際に、中仕切り板とスライド扉との間に手指等が挟まってもその衝撃をやわらげることができるキャビネットを提供する。【解決手段】  内部に中仕切り板２１が配設され、かつ、前面に開口部２２を有する箱体よりなるキャビネット本体２の開口部２２に、キャビネット本体２のガイドレール部２３Ａ、２３Ｂを介して左右に摺動可能なスライド扉３が取り付けられたキャビネット１において、ガイドレール部２３Ａ、２３Ｂを転動するコマ３１Ａ、３１Ｂを備えたコマ支持体３２が、弾性部材３３を介してスライド扉３に取り付けられている。【選択図】図１
2006149487.tif 000002
【特許請求の範囲】
【請求項１】
内部に中仕切り板が配設され、かつ、前面に開口部を有する箱体よりなるキャビネット本体の開口部に、キャビネット本体のガイドレール部を介して左右に摺動可能なスライド扉が取り付けられたキャビネットにおいて、ガイドレール部を転動するコマを備えたコマ支持体が、弾性部材を介してスライド扉に取り付けられていることを特徴とするキャビネット。
【請求項２】
弾性部材は、バネ体からなる請求項１記載のキャビネット。
【請求項３】
スライド扉には、鏡が配設されている請求項１または２記載のキャビネット。
【発明の詳細な説明】
【技術分野】
【０００１】
本願発明は、キャビネットに関するものである。
【背景技術】
【０００２】
従来より、内部に中仕切り板が配設され、かつ、前面に開口部を有する箱体よりなるキャビネット本体の開口部に、キャビネット本体のガイドレール部を介して左右に摺動可能なスライド扉が取り付けられたキャビネットが知られている（たとえば、特許文献１）。このキャビネットは、スライド扉が左右に摺動可能に備えられているため、キャビネットの内部の縦横に中仕切り板を設置して構成される収納棚に、書籍や小物類等を簡単に出し入れできて、使い勝手がよいものとされている。
【特許文献１】特開２００２−１８０７６２号公報
【発明の開示】
【発明が解決しようとする課題】
【０００３】
しかしながら、上記特許文献１記載のような従来のキャビネットにおいては、スライド扉の開閉の際に、中仕切り板とスライド扉との間に使用者の手指等が挟まった場合、そのときの衝撃をやわらげることができないため、手指等が負傷する可能性が高いという問題があった。
【０００４】
そこで、本願発明は以上の背景から、スライド扉の開閉の際に、中仕切り板とスライド扉との間に手指等が挟まってもその衝撃をやわらげることができる、新しいキャビネットを提供することを課題とする。
【課題を解決するための手段】
【０００５】
本願発明は、上記の課題を解決するものとして以下のことを特徴としている。
【０００６】
第１には、内部に中仕切り板が配設され、かつ、前面に開口部を有する箱体よりなるキャビネット本体の開口部に、キャビネット本体のガイドレール部を介して左右に摺動可能なスライド扉が取り付けられたキャビネットにおいて、ガイドレール部を転動するコマを備えたコマ支持体が、弾性部材を介してスライド扉に取り付けられている。
【０００７】
また、第２には、弾性部材は、バネ体からなり、第３には、スライド扉には、鏡が配設されている。
【発明の効果】
【０００８】
第１の発明によれば、スライド扉の開閉の際に、中仕切り板とスライド扉との間に手指等が挟まってもその衝撃をやわらげることができる。
【０００９】
また、第２の発明によれば、上記第１の発明の効果に加えて、より効果的に衝撃をやわらげることができる。
【００１０】
そして、第３の発明によれば、上記第１の発明、第２の発明の効果を維持することができるとともに、意匠性や利便性をも向上させることができる。
【発明を実施するための最良の形態】
【００１１】
本願発明は、上記のとおりの特徴をもつものであるが、以下に、添付した図面に沿って、本願発明の実施形態について詳細かつ具体的に説明する。
【００１２】
図１は、本願発明の一実施形態を例示した図であり、（Ａ）は全体斜視図、（Ｂ）は断面図である。図２は、スライド扉上部とコマ支持体の取り付け状態を例示した要部拡大断面図であり、（Ａ）は通常のスライド扉の状態、（Ｂ）は衝撃をやわらげる際のスライド扉の状態である。
【００１３】
図１（Ａ）（Ｂ）に例示したとおり、実施形態としてのキャビネット１は、内部に、中仕切り板２１が配設され、かつ、前面に開口部２２を有する箱体よりなるキャビネット本体２の開口部２２に、このキャビネット本体２の開口部２２の上面、下面それぞれに設けられた上レール、下レールよりなるガイドレール部２３Ａ、２３Ｂを介して、前記開口部２２の一部（たとえば、左または右半面）を覆うことができるように左右に摺動可能に取り付けられたスライド扉３を有している。そして、キャビネット本体２の上面に設けられた上レールのガイドレール部２３Ａ上に、上部のコマ３１Ａが係合して転動するとともに、キャビネット本体２の下面に設けられた下レールのガイドレール部２３Ｂ側面には、下部のコマ３１Ｂが摺接して転動するようにしている。
【００１４】
すなわち、キャビネット１におけるスライド扉３の取り付けには、スライド扉３の上縁部の近傍、下縁部の近傍それぞれにコマ支持体３２を配設し、このコマ支持体３２に備えられている車輪状のコマ３１Ａ、３１Ｂを、キャビネット本体２の開口部２２の上面、下面それぞれに形成されているガイドレール部２３Ａ、２３Ｂに係合または摺接して転動させるように取り付けることで、スライド扉３を左右に摺動して開閉する際に、このスライド扉３の動きに合わせてコマ３１Ａ、３１Ｂが転動して、スライド扉３をスムーズに開閉することができるようにしている。
【００１５】
そして、上レールのガイドレール部２３Ａには、凸状部が長手方向にわたって形成されており、この凸状部と係合し得るように、図１および図２に例示したように、略中央部を凹ませた形状の上部のコマ３１Ａを用いている。もちろん、図には示していないが、上レールのガイドレール部２３Ａだけでなく、下レールのガイドレール部２３Ｂにも凸状部を形成させ、この凸状部に係合し得るように、下部のコマ３１Ｂについても略中央部を凹ませた形状としてもよい。また、下部のコマ３１Ｂについてさらに説明すると、スライド扉３を安定に摺動可能とするため、図１（Ｂ）のように、コマ支持体３２を下レールのガイドレール部２３Ｂの垂下部の裏面にまわりこむような形状に形成させることで、下部のコマ３１Ｂをガイドレール部２３Ｂに摺接させて転動可能としている。このような構成とすることで、スライド扉３は、よりスムーズに開閉できるとともに、キャビネット１に安定して取り付けることができる。そして、また、キャビネット本体２の内部には、前記中仕切り板２１を縦横に複数配置して、書籍や小物類等が出し入れできる収納棚が形成されている。
【００１６】
このようなキャビネット１において、図２（Ａ）のように、ガイドレール部２３Ａ、２３Ｂを転動するコマ３１Ａ、３１Ｂを備えたコマ支持体３２が、弾性部材３３を介してビス等の固定具３４でスライド扉３に取り付けられていることで、スライド扉３の開閉の際に、中仕切り板２１とスライド扉３との間に手指等が挟まっても、図２（Ｂ）のように、弾性部材３３による隙間Ｓの発生での衝撃を吸収することができ、その衝撃をやわらげることができる。
【００１７】
より詳しく説明すると、図２（Ａ）（Ｂ）に例示したとおり、スライド扉３とコマ支持体３２は、弾性部材３３を介してビス等の固定具３４で取り付け固定されている。図２（Ａ）に示すスライド扉３の通常の使用状態では、弾性部材３３は、その弾性によって伸びた張設状態にある。そして、図２（Ｂ）に示すように、スライド扉３の開閉の際に、誤って中仕切り板２１とスライド扉３との間に手指等が挟まった場合には、矢印で示したように、スライド扉３が外側に移動するように弾性部材３３が縮み、スライド扉３とコマ支持体３２との間の隙間Ｓが拡大し、そして、この隙間Ｓの存在によって衝撃を吸収し、手指等が隙間Ｓに入り衝撃をやわらげることができる。
【００１８】
弾性部材３３は、弾性を有するものであれば特に限定されないが、たとえば、図１および図２に例示したようにコイル状に形成されたバネ体が使用でき、より効果的に衝撃をやわらげることができる。もちろん、その材質についても、同様に限定されるものではなく、たとえば、鉄やアルミニウム、ステンレス等のような金属類等にて形成すればよい。また、弾性部材３３については、コイル状のバネ体だけでなく、板バネ、皿バネ、あるいはプラスチック弾性体、ゴム弾性体等も考慮される。
【００１９】
さらにまた、本願発明のキャビネット１では、意匠性や利便性を高めるために、スライド扉３の表面の一部または全面に、鏡を配設することもできる。従来のキャビネットのスライド扉に鏡を配設して場合、スライド扉３の開閉の際に、中仕切り板２１とスライド扉３との間に使用者の手指等が挟まった際の衝撃が、鏡の重さによってより強いものとなっていた。しかしながら、本願発明のキャビネット１では、スライド扉３の表面の一部または全面に鏡を配設しても、中仕切り板２１とスライド扉３との間に手指等が挟まった際の衝撃をやわらげる効果を十分に発揮することができ、安全性の向上とともに意匠性や利便性の向上を図ることができる。
【００２０】
なお、一般的にスライド扉には、把手が取り付けられている場合がある。この場合には、把手をつかんでスライド扉を開閉することで、中仕切り板とスライド扉との間に手指を挟む危険性を減らすことができるものの、使用者が必ずしも常にこの把手でスライド扉を開閉することはない。このため、スライド扉に把手が取り付けられている場合であっても、直接スライド扉をつかんで開閉すると、手指を挟む危険性がある。したがって、把手が取り付けられている場合であっても、本願発明のキャビネットの場合には、手指を挟んだ際の衝撃をやわらげることができ、安全性が高く、また使い勝手のよいものとなる。
【００２１】
もちろん、本願発明のキャビネットは、以上の例示によって限定されるものではなく、その細部については、さまざまな態様とすることが可能であることはいうまでもない。
【図面の簡単な説明】
【００２２】
【図１】本願発明の一実施形態を例示した図であり、（Ａ）は全体斜視図、（Ｂ）は断面図である。
【図２】スライド扉上部とコマ支持体の取り付け状態を例示した要部拡大断面図であり、（Ａ）は通常のスライド扉の状態、（Ｂ）は衝撃をやわらげる際のスライド扉の状態である。
【符号の説明】
【００２３】
１  キャビネット
２  キャビネット本体
２１  中仕切り板
２２  開口部
２３Ａ、２３Ｂ  ガイドレール部
３  スライド扉
３１Ａ、３１Ｂ  下部コマ
３２  コマ支持体
３３  弾性部材
３４  固定具
Ｓ  隙間
【図１】
2006149487.tif 000003
【図２】
2006149487.tif 000004